(57)【要約】【課題】レーザ光を照射しながらパッティング練習を行なうに際して練習効率を向上させることができるレーザ光照射装置とこれを取り付けるゴルフパターとを提供する。【解決手段】ゴルフのパッティング練習に用いられるレーザ光照射装置７１において、ゴルフパター１のヘッド３１に着脱自在に取り付けられ、照射するレーザ光によってヘッド３１のフェース面３３と直交する打球方向を射し示し、照射したレーザ光は上下方向に扇形に拡散し、被照射物に当ったレーザ光Ｒは「点」ではなく「線」状をなすことにした。「線」によればパッティングラインを容易にイメージすることができる。【選択図】図１
2005160912.tif 000002
【特許請求の範囲】
【請求項１】
ゴルフのパッティング練習に用いられるレーザ光照射装置（７１）において、
ゴルフパター（１）のヘッド（３１）に着脱自在に取り付けられ、照射するレーザ光によって前記ヘッド（３１）のフェース面（３３）と直交する打球方向を射し示し、照射したレーザ光は上下方向に扇形に拡散し、被照射物に当ったレーザ光（Ｒ）は線状をなすことを特徴とするレーザ光照射装置。
【請求項２】
請求項１のレーザ光照射装置において、
ゴルフパター（１）のヘッド（３１）に着脱自在に取り付けられる照射装置本体（７２）と、前記ゴルフパター（１）のシャフト（２１）またはグリップ（１１）下端部に着脱自在に取り付けられる電源部（８７）と、前記ゴルフパター（１）のグリップ（１１）に着脱自在に取り付けられるスイッチ部（９７）とを有することを特徴とするレーザ光照射装置。
【請求項３】
請求項１または２に係るレーザ光照射装置を着脱自在に取り付けるゴルフパターであって、
ヘッド（３１）の後部に水平プレート状の張り出し部（３５）を設け、前記張り出し部（３５）にその下方からゴルフボール（６１）を着脱自在に嵌合する孔状のボール嵌合部（３８）を設け、前記孔状のボール嵌合部（３８）にその上方から前記レーザ光照射装置（７１）を嵌め込むことを特徴とするゴルフパター。
【請求項４】
請求項３のゴルフパターにおいて、
ヘッド（３１）の上部に前記ヘッド（３１）の幅方向中心線を示すセンターライン（４８）を設け、ボール嵌合部（３８）に嵌め込むレーザ光照射装置（７１）の上部にも前記ヘッド（３１）の幅方向中心線を示すセンターライン（８６）を設け、前記ボール嵌合部（３８）に前記レーザ光照射装置（７１）を嵌め込んだ状態において前記両センターライン（４８）（８６）は互いの高さ位置を異にするように配置されることを特徴とするゴルフパター。
【発明の詳細な説明】
【技術分野】
【０００１】
本発明は、ゴルフのパッティング練習に用いられるレーザ光照射装置とこれを取り付けるゴルフパターとに関するものである。
【背景技術】
【０００２】
パターで必ず入るパターも無ければ、絶対入らないパターも無い。ただ個人差によるパターの善し悪しは有る。それはその人の体力や運動神経またはパッティングフォーム等による。もしその人にそのパターの商品コンセプトが合致するならば、その人にとってそのパターは「良く入るパター」ということになる。したがって市場には無数のタイプのパターが氾濫している。このような状況のもとで本願発明者らは、振り子タイプのパターにおいて、身長や体重、そしてパッティングスタイルの違い等をカバーするために、パターグリップの選択や長さ調整のできる取付けシステム、パターヘッドの重さをデザインに組み込んだウエイト調整などが可能なパターと、このパターとともに利用するのに適したパター練習機とを開発した。このうち本発明は、パター練習機の一つとしてレーザ光照射装置に関するものである。
【０００３】
すなわち例えば図１２に示す公知のパター１１１においては、その練習機として打球目標方向を示すためのレーザ光照射装置１１２が設けられている（特許文献１参照）。
【０００４】
しかしながら、この従来のレーザ光照射装置１１２においては、被照射物に当ったレーザ光はピンポイントの「点」として視認されるに過ぎない。説明によると、練習する場所の明るさによってレーザ光の描くライン１１３そのものを認識できる場合には、ピン１１４を立てたり照射板を設けたりして照射させる必要はなく、ライン１１３そのものを見てアドレスすることができる由であるが、実際には暗い場所を選んでばかりもいられない。したがってこの従来技術によると、利用者はアドレス位置から遠く離れた上記の「点」を見ながら練習をしなければならないために、パッティングラインをイメージしにくく、よって練習効率があまり良くない不都合がある。
【０００５】
また、上記従来技術では、パター１１１そのものが練習用パターである。したがってせっかくレーザ光を照射しながら練習を積んでも、競技に際しては別のパターを使用しなければならないために、この点からも練習効率があまり良くない不都合がある。
【０００６】
【特許文献１】特開２００２−２０４８４６号公報（図１、図２）
【発明の開示】
【発明が解決しようとする課題】
【０００７】
本発明は以上の点に鑑みて、レーザ光を照射しながらパッティング練習を行なうに際して練習効率を向上させることができるレーザ光照射装置とこれを取り付けるゴルフパターとを提供することを目的とする。
【課題を解決するための手段】
【０００８】
上記目的を達成するため、本発明の請求項１によるレーザ光照射装置は、ゴルフのパッティング練習に用いられるレーザ光照射装置において、ゴルフパターのヘッドに着脱自在に取り付けられ、照射するレーザ光によって前記ヘッドのフェース面と直交する打球方向を射し示し、照射したレーザ光は上下方向に扇形に拡散し、被照射物に当ったレーザ光は線状をなすことを特徴とするものである。
【０００９】
また、本発明の請求項２によるレーザ光照射装置は、上記した請求項１のレーザ光照射装置において、ゴルフパターのヘッドに着脱自在に取り付けられる照射装置本体と、前記ゴルフパターのシャフトまたはグリップ下端部に着脱自在に取り付けられる電源部と、前記ゴルフパターのグリップに着脱自在に取り付けられるスイッチ部とを有することを特徴とするものである。
【００１０】
また、本発明の請求項３によるゴルフパターは、上記した請求項１または２に係るレーザ光照射装置を着脱自在に取り付けるゴルフパターであって、ヘッドの後部に水平プレート状の張り出し部を設け、前記張り出し部にその下方からゴルフボールを着脱自在に嵌合する孔状のボール嵌合部を設け、前記孔状のボール嵌合部にその上方から前記レーザ光照射装置を嵌め込むことを特徴とするものである。
【００１１】
更にまた、本発明の請求項４によるゴルフパターは、上記した請求項３のゴルフパターにおいて、ヘッドの上部に前記ヘッドの幅方向中心線を示すセンターラインを設け、ボール嵌合部に嵌め込むレーザ光照射装置の上部にも前記ヘッドの幅方向中心線を示すセンターラインを設け、前記ボール嵌合部に前記レーザ光照射装置を嵌め込んだ状態において前記両センターラインは互いの高さ位置を異にするように配置されることを特徴とするものである。
【発明の効果】
【００１２】
本発明は、以下の効果を奏する。
【００１３】
すなわち、上記構成を備えた本発明の請求項1によるレーザ光照射装置においては、当該レーザ光照射装置から照射されるレーザ光が上下方向に扇形に拡散し、被照射物に当ったレーザ光が線状をなすように構成されているために、利用者は従来のようにピンポイントの「点」ではなく「線」を見ながらパッティング練習を行なうことが可能となる。平坦な地面または床面に当った「線」はヘッドのフェース面と直交する方向を示すため、そのまま打てればボールはこの「線」の上を転がっていく。したがって、利用者にとって容易にパッティングラインをイメージすることができ、このラインに沿ってボールを打てるかどうかを確認することができるために、練習効率を向上させることができる。
【００１４】
また、当該レーザ光照射装置は、ゴルフパターのヘッドに着脱自在に取り付けられるものであって、従来のように練習用パターに取り付けられるものではなく競技用パターに直接取り付けられるものである。したがって利用者はパターに当該レーザ光照射装置を取り付けてレーザ光によるパッティング練習を行ない、パターから当該レーザ光照射装置を取り外してこのパターをそのまま競技で使うことが可能となる。したがって、レーザ光による練習で使い慣れたパターをそのまま競技で使うことができるため、日頃から実戦に近い練習をすることができ、よってやはり練習効率を高めることができる。
【００１５】
またこれに加えて、上記構成を備えた本発明の請求項２によるレーザ光照射装置においては、当該レーザ光照射装置の構成要素が、ゴルフパターのヘッドに着脱自在に取り付けられる照射装置本体と、ゴルフパターのシャフトまたはグリップ下端部に着脱自在に取り付けられる電源部と、ゴルフパターのグリップに着脱自在に取り付けられるスイッチ部とにより構成されているために、当該レーザ光照射装置はその全ての構成要素をパターに着脱自在に取り付けることが可能となる。したがって、当該レーザ光照射装置はパターに対して着脱自在でありかつこれをパターに取り付けた状態で持ち運びすることができる。
【００１６】
また、上記構成を備えた本発明の請求項３によるゴルフパターにおいては、ヘッドの後部に水平プレート状の張り出し部が設けられて、この張り出し部にその下方からゴルフボールを着脱自在に嵌合する孔状のボール嵌合部が設けられるとともに、この孔状のボール嵌合部にその上方からレーザ光照射装置が嵌め込まれるように構成されているために、利用者は地面上にあるゴルフボールを拾う際に屈まなくても当該パターを利用して拾うことが可能となり、またこの孔状のボール嵌合部をレーザ光照射装置取付孔として利用することが可能となる。したがって、張り出し部に設けた１つの孔が２つの機能を発揮するユニークなパタークラブを提供することができる。尚、前者機能の場合、利用者はパターのグリップを持ち、ヘッドのボール嵌合部をボールに押し付けることによりボールを嵌合部に嵌合することになる。
【００１７】
更にまた、上記構成を備えた本発明の請求項４によるゴルフパターにおいては、ヘッドの上部にヘッドの幅方向中心線を示すセンターラインが設けられるとともに、ボール嵌合部に嵌め込むレーザ光照射装置の上部にもヘッドの幅方向中心線を示すセンターラインが設けられ、ボール嵌合部にレーザ光照射装置を嵌め込んだ状態において両センターラインが互いの高さ位置を異にするように構成されているために、利用者がヘッドを真上から見ると両センターラインは１本の直線として見え、利用者がヘッドを斜め上方から見ると両センターラインはその高さ位置の相違に基づいて互いにずれて見えることになる。したがってこの特性を利用して利用者は、目線をヘッドの真上に位置させる練習をすることができる。なお、この練習は目線をヘッドの真上に位置させるパッティングフォームが好ましいとの前提による。
【発明を実施するための最良の形態】
【００１８】
本発明において、照射するレーザ光を上下方向に拡散させるには、照射機構に例えば円柱形を呈する拡散レンズを設置するのが好適である。電源としては取り扱いが容易な乾電池が適している。スイッチは粘着テープやゴムバンド等を利用してグリップに着脱自在に取り付ける。
【００１９】
また、孔状のボール嵌合部にその上方からレーザ光照射装置を嵌め込む場合には、孔状のボール嵌合部がボールを嵌め込むという第一の機能を発揮すべく平面円形に形成されているために、レーザ光照射装置もその被嵌合部を平面円形に形成するのが好適であり、このようにすれば嵌合と同時にレーザ光照射装置をヘッドに対して位置合わせすることができる。
【実施例】
【００２０】
つぎに本発明の実施例を図面にしたがって説明する。
【００２１】
図１は、本発明の実施例に係るレーザ光照射装置７１を取り付けたゴルフパター１を、アドレスして当該パター１を構えた利用者の目線の方向から見た状態の説明図であって、図示するように当該パター１はその構成要素としてグリップ１１、シャフト２１およびヘッド３１を有している。また、当該パター１はいわゆる振り子式パターであって、シャフト２１はその下端部に屈曲部２２を有するものの、その中心軸線はヘッド３１の重心の方向を向いている。ヘッド３１の重心はヘッド３１の幅方向（トー・ヒール方向、図上上下方向）中央に配置されている。また、レーザ光照射装置７１はその構成要素として照射装置本体７２、電源部８７、スイッチ部９７およびこれらを電気的に接続するための配線１００を有している。
【００２２】
図２ないし図４は、ヘッド３１の単品図を示しており、ヘッド３１は、フェース面（打球面）３３およびソール面３４を備えた金属製のヘッド本体３２と、このヘッド本体３２の後部に後向きに一体成形された水平プレート状の張り出し部３５と、当該ヘッド３１をシャフト２１に固定すべくシャフト２１の端部を差込み固定するための円筒状のホーゼル部３６とを一体に有している。
【００２３】
ヘッド本体３２は、そのトー側（図２（Ａ）において図上上側）とヒール側（図２（Ａ）において図上下側）とに重量を分散すべく幅方向中央部においてその背面側に凹部状の括れ部３７を有している。
【００２４】
水平プレート状の張り出し部３５は、ヘッド本体３２の幅方向中央に配置されており、ヘッド本体３２のソール面３４よりも高い位置においてフェース面３３と直交する方向に張り出しており、また平面略半円形に形成されている。
【００２５】
この張り出し部３５の平面上であって幅方向中央には、この張り出し部３５の下面側からゴルフボール６１を着脱自在に嵌合するための孔状のボール嵌合部３８が設けられている。このボール嵌合部３８は、張り出し部３５をその厚さ方向に貫通する貫通孔として設けられており、またゴルフボール６１の直径寸法よりも僅かに小さい内径寸法を備えた平面円形の孔として設けられている。また、このボール嵌合部３８の内周面にはその下面側から上面側へと漸次拡径するテーパ３９が付けられており、これによりこのボール嵌合部３８は比較的小さなサイズのゴルフボール６１も比較的大きなサイズのゴルフボール６１も共に嵌合可能とされている。嵌合にはボール６１表面の弾性も利用される。
【００２６】
また、当該ヘッド３１の後部であって張り出し部３５の平面上には、互いに大きさを異にする複数のウエイト固定部４０，４１，４２が設けられており、この複数のウエイト固定部４０，４１，４２のうちの任意のウエイト固定部に、対応する大きさのウエイト４３，４４，４５を固定することによって当該ヘッド３１の重量を利用者個々の好みの重量となるよう設定することができるように構成されている。
【００２７】
当該実施例では、ウエイト固定部４０，４１，４２が６つ設けられており、比較的大きな孔よりなる第一ウエイト固定部４０と、この第一ウエイト固定部４０よりも小さな孔よりなる第二ウエイト固定部４１と、この第二ウエイト固定部４１よりも更に小さな孔よりなる第三ウエイト固定部４２とが３つ一組として、ボール嵌合部３８のトー側およびヒール側に対称的に設けられている。第一、第二および第三ウエイト固定部４０，４１，４２はこの順番にヘッド本体３２側から後ろ側へ向けて並べられている。これらのウエイト固定部４０，４１，４２はいずれもボール嵌合部３８と同様に、貫通孔であってかつ平面円形の孔として設けられている。
【００２８】
図６に示すように、比較的大きな孔よりなる第一ウエイト固定部４０には、対応して比較的大きな第一ウエイト４３が固定される。第一ウエイト４３の重量は例えば６．３ｇとされている。第二ウエイト固定部４１には、対応して中程度の大きさの第二ウエイト４４が固定される。第二ウエイト４４の重量は例えば４．２ｇとされている。第三ウエイト固定部４２には、対応して比較的小さな第三ウエイト４５が固定される。第三ウエイト４５の重量は例えば２．２ｇとされている。これらのウエイト４３，４４，４５はいずれも、略半球状の頭部４６の下面側に、対応するウエイト固定部４０，４１，４２に圧入される大きさを備えた略円柱形の脚部４７が一体成形されている。いずれのウエイト固定部４０，４１，４２にウエイト４３，４４，４５を固定するかは利用者によって選択されることになり、利用者は都合４９パターンの取り付け方のなかから適宜選択することになる。各ウエイト４３，４４，４５はウエイト固定部４０，４１，４２に対して着脱自在であって仮止めが可能とされているが、最終的には競技中に脱落することがないように接着剤等によって固定される。
【００２９】
また、当該ヘッド３１において、その上部すなわちヘッド本体３２の上面には当該ヘッド３１の幅方向中心線を表示するセンターライン（第一センターラインとも称する）４８が立体的な上向きリブ４８ａとして設けられており（リブ４８ａの立ち上がり上辺にセンターライン４８が表示されている）、張り出し部３５の上面におけるボール嵌合部３８の周り一箇所であってボール嵌合部３８の後ろ側にも当該ヘッド３１の幅方向中心線を表示するセンターライン（第二センターラインとも称する）４９が凹部状の切欠として設けられている。第一センターライン４８はフェース面３３と直交する向きに配置されており、第二センターライン４９も当該ヘッド３１の幅方向中心線上に配置されているので、この両センターライン４８，４９は平面上同一直線上に配置されている。また、第一センターライン４８のトー側およびヒール側にはそれぞれサブライン５０が設けられている。このサブライン５０は第一センターライン４８から一定の間隔をおいて第一センターライン４８と平行に配置されており、２本のサブライン５０間はボール略１個分かまたはそれよりも若干大きな間隔に設定されている。これらのセンターライン４８，４９やサブライン５０は、利用者にとって打球方向を定め易くしたり（両センターライン４８，４９を結ぶ直線の延長線上に目標を合わせる）、あるいはヘッド３１のスイートスポットにボール６１を当て易くしたりするために設けられている。
【００３０】
また、当該ヘッド３１において、ヘッド本体３２のフェース面３３には、その中央に位置して凹部５１が設けられており、この凹部５１内に打球時緩衝用のシート状弾性体５２が嵌め込まれている。
【００３１】
つぎに上記レーザ光照射装置７１について説明する。このレーザ光照射装置７１は上記したようにその構成要素として照射装置本体７２、電源部８７、スイッチ部９７および配線１００等を有している。
【００３２】
図７および図８に示すように、照射装置本体７２は、ヘッド３１のボール嵌合部３８にその上方から着脱自在に嵌め込まれる下ケース７３と、その上部に着脱自在に取り付けられる上ケース７４とを有しており、このケース７３，７４の内部にレーザ光照射体７５および配線接続用のコネクタ７６が設けられている。
【００３３】
下ケース７３は、全体として略円錐形に形成されており、その最大直径をもつ下面部７３ａに上記ボール嵌合部３８に着脱自在に嵌め込まれる被嵌合部７７が下向きに設けられている。この被嵌合部７７は、ボール嵌合部３８が平面円形に形成されているのに対応してこのボール嵌合部３８にちょうど嵌め込まれる大きさの平面円形状に形成されている。嵌め込みを容易にするには被嵌合部７７の円周上一箇所または複数箇所にスリット７７ａ等を設けても良い。また、この下ケース７３の下面部７３ａにおける外周面の円周上一箇所には、ヘッド３１に設けた上記第一センターライン４８を形成する上向きリブ４８ａをその両側から挟み込むよう一対のリブ７８ａよりなる円周方向の位置決め部７８が設けられており、この位置決め部７８の１８０度対称位置にも、上記凹部状の第二センターライン４９に係合して下ケース７３をボール嵌合部３８に対して円周方向に位置決めするための突起状の位置決め部７９が設けられている。したがって下ケース７３をボール嵌合部３８に嵌め込み、このとき両位置決め部７８，７９をセンターライン４８，４９のリブ４８ａおよび凹部に係合することにより、下ケース７３ひいては照射装置本体７２を常にヘッド３１に対して一定の向きに取り付けることができる。また、下ケース７３の上部にはレーザ光照射体７５を水平向きに装着するための台座状を呈する照射体収容部８０が設けられており、この照射体収容部８０に上ケース７４が着脱自在に取り付けられる。
【００３４】
レーザ光照射体７５は、略円柱形を呈するケース８１を有しており、このケース８１の内部にレーザ光を発光させるレーザ光発光機構（図示せず）が設けられており、ケース８１の一端に設けたレーザ光照射部８２から外部へ向けてレーザ光を照射する。レーザ光発光機構には、配線１００を介して電源部８７およびスイッチ部９７に接続された電気回路と、この回路に接続されてレーザ光を一方向に向けて発光するレーザ光発信管とが設けられている。下ケース７３の収容部８０に収容されたこのレーザ光照射体７５は、収容部８０の配置にしたがってヘッド３１の幅方向中央であってかつフェース面３３を含む平面と直交する向きに配置されることになり、ヘッド本体３２の頭越しにヘッド３１の前方へ向けてレーザ光を照射する。
【００３５】
また図９に示すように、レーザ光照射体７５のレーザ光照射部８２には円柱状を呈する拡散レンズ８３が設置されており、これにより照射したレーザ光を上下方向に拡散して、被照射物に当ったレーザ光Ｒを図１に示すように線状となすように構成されている。レーザ光は当初、線として照射されるが上記レンズ８２を通過すると線が面に変わることになる。この面はフェース面３３を含む面と直交しかつヘッド３１の上下方向（図２（Ａ）における紙面直交方向）を向いた面である。またこの面は扇形に拡散する面であり、扇には俯角θ１（例えば２２．５度）および仰角θ２（例えば２２．５度）が設定されている。したがってこのように面状をなすレーザ光が平坦な地面または床面に当ると、フェース面３３を含む面と直交する直線をなし、垂直な壁面に当ると、垂直な直線をなす（ヘッド３１に傾きがない場合）。尚、図１は作図の都合上、レーザ光Ｒによる線のごく一部のみを示しているが、この線は実際には図上左方向に長く延びている。図９（Ｂ）において、レンズ８３は硬性ゴムよりなる支持体８４とともに接着剤８５等によりケース８１の内面に固定されている。
【００３６】
図１０および図１１に示すように、電源部８７は、グリップ１１の下端部と接する位置においてシャフト２１の外周に着脱自在に取り付けられるケース８８を有しており、このケース８８は略長方体形を呈するケース本体８９とこのケース本体８９の開口部を開閉する蓋体９０とを有している。ケース本体８９および蓋体９０は薄肉状の一体成形ヒンジ９１を介して互いに一体成形されている。ケース本体８９の内部であって幅方向中央にはシャフト２１を貫挿させるための空洞状のシャフト貫挿部９２が設けられており、ここにシャフト２１を嵌め込んで蓋体９０を閉じてスナップ９３をロックすると、そのとき発生する嵌合代によってケース８８をシャフト２１に対して固定することができる。ケース本体８９の内部においてシャフト貫挿部９２の両側にはそれぞれ乾電池（図示せず）を収容するための乾電池収容部９４が設けられており、ここに例えば単三乾電池２本を配線金具（図示せず）等とともに収容する。一方の乾電池収容部９４の下側には、配線接続用のコネクタ９６を取り付けるためのコネクタ取付部９５が設けられており、このコネクタ９６に配線１００の差込みプラグ１０１が着脱自在に差し込まれる。
【００３７】
図１０に示すように、スイッチ部９７は、グリップ１１に着脱自在に取り付けられるバンド状のスイッチ取付部９８を有しており、このスイッチ取付部９８に押圧式のスイッチ本体９９が一つまたは複数（図では３つ）取り付けられている。スイッチ本体９９は、グリップ１１を握った状態の左手または右手の親指で押圧し易い位置に設けるのが好ましい。このスイッチ部９７は電源部８７および照射装置本体７２と配線を介して電気的に接続されており、スイッチ本体９９を押圧しているときのみレーザ光を照射する。
【００３８】
図８の説明に戻って、上記したようにヘッド３１の上部すなわちヘッド本体３２の上面にはヘッド３１の幅方向中心線を表示する第一センターライン４８が設けられており、これに対応してレーザ光照射装置７１の照射装置本体７２における上ケース７４の上面には同じくヘッド１の幅方向中心線を表示するセンターライン（第三センターラインとも称する）８６が設けられている。図示するようにこの第一および第三センターライン４８，８６は互いに高さ位置を異にするよう設定されているので、利用者がヘッド３１を真上から見ると、第一および第三センターライン４８，８６は１本の直線として見え、利用者がヘッド１を斜め上方から見ると、第一および第三センターライン４８，８６は互いにずれて見える。また、張り出し部３５の後端に設けられた第二センターライン４９はこれもヘッド３１の幅方向中心線上に設けられているので、利用者がヘッド３１を真上から見ると、第一および第二センターライン４８，４９と第三センターライン８６とは１本の直線として見え、利用者がヘッド３１を斜め上方から見ると、第一および第二センターライン４８，４９と第三センターライン８６とは互いにずれて見える。したがってこれらの特性を利用して利用者はこれを、目線をヘッド３１の真上に位置させる練習をすることができるように構成されている。
【００３９】
上記構成のヘッド３１、レーザ光照射装置７１およびこれらを備えたパター１によれば、以下の作用効果を奏することができる。
【００４０】
すなわち先ず、ヘッド３１の後部に互いに大きさを異にする複数（６つ）のウエイト固定部４０，４１，４２を設けて任意のウエイト固定部４０，４１，４２に対応する大きさのウエイト４３，４４，４５を固定することにより当該ヘッド３１の重量を利用者個々の好みの重量となるよう設定するように構成されているために、利用者はどのウエイト固定部４０，４１，４２にどのような大きさのウエイト４３，４４，４５を固定するかを選択することによって体力やフォーム等に合わせてヘッド３１の重量を比較的細かく調整することが可能とされている。調整は段階的であるが、当該実施例では上記したように４９パターンもが用意されているために微調整が可能である。したがって、利用者は１つのヘッド３１を最適な重量として利用することが可能となり、これにより無理のない理想的なパッティングフォームを得ることができる。
【００４１】
また、ヘッド本体３２の後部に水平プレート状の張り出し部３５が設けられていて、この張り出し部３５にウエイト固定部４０，４１，４２が設けられるとともに、この張り出し部３５にその下面側からゴルフボール６１を着脱自在に嵌合する孔状のボール嵌合部３８が設けられているために、利用者はヘッド３１のウエイト調整が可能であるとともに、地面上にあるゴルフボール６１を拾う際にいちいち屈まなくてもパター１を利用して拾うことが可能とされている。利用者はパター１のグリップ１１を持ち、ヘッド３１のボール嵌合部３８をゴルフボール６１に押し付けることによりゴルフボール６１をボール嵌合部３８に嵌合する。ボール嵌合部３８は、ヘッド本体３２の後部に設けた水平プレート状の張り出し部３５に貫通孔状のものとして設けられているために、利用者はこのボール嵌合部３８とゴルフボール６１を双方見ながら両者を位置合わせすることができる。
【００４２】
また、張り出し部３５に設けたボール嵌合部３８のトー側およびヒール側に対称的にウエイト固定部４０，４１，４２が設けられているために、トー側のウエイト固定部４０，４１，４２にウエイト４３，４４，４５を固定するとヘッド３１の重量バランスがトー側に寄ることになり、反対にヒール側のウエイト固定部４０，４１，４２にウエイト４３，４４，４５を固定するとヘッド３１の重量バランスがヒール側に寄ることになる。また、トー側およびヒール側に同等にウエイト４３，４４，４５を固定するとヘッド３１の重量バランスをトー側またはヒール側に片寄らせることなくバランスを保ったままで重量を調整することができる。したがって、このようにどのウエイト固定部４０，４１，４２にどのような大きさのウエイト４３，４４，４５を固定するかを選択することによって、ヘッド３１の重量やそのバランスを微妙に調整することができる。
【００４３】
また、図２（Ａ）の平面図などに示したように、ヘッド３１は、比較的大径の円孔（ボール嵌合部３８）のトー側およびヒール側にそれぞれ比較的小径の円孔（ウエイト固定部４０，４１，４２）を複数並べた斬新な形態である。したがって、いわゆる形態上の審美性を有しており、よって意匠的効果にも優れている。
【００４４】
また、上記レーザ光照射装置７１の構成において、当該レーザ光照射装置７１から照射されるレーザ光は上下方向に扇形に拡散し、被照射物に当ったレーザ光Ｒは線状をなすように構成されているために、利用者は従来のようにピンポイントの「点」ではなく「線」を見ながらパッティング練習を行なうことになる。平坦な地面または床面に当った「線」はヘッド３１のフェース面３３と直交する方向を示すため、そのまま打てればボール６１はこの「線」の上を転がっていく。したがって、利用者にとっては容易にパッティングラインをイメージすることができ、このラインに沿ってボール６１を打てるかどうかを確認することができるために、練習効率を向上させることができる。
【００４５】
また、上記レーザ光照射装置７１は、パター１のヘッド３１に着脱自在に取り付けられるものであって、練習用パターに取り付けられるものではなく競技用パターに直接取り付けられるものである。したがって利用者はパター１にレーザ光照射装置７１を取り付けてレーザ光によるパッティング練習を行ない、パター１からレーザ光照射装置７１を取り外してこのパター１をそのまま競技で使うことができる。したがって、レーザ光による練習で使い慣れたパター１をそのまま競技で使うことができるために、日頃から実戦に近い練習をすることができ、よって練習効率を高めることができる。
【００４６】
また、上記レーザ光照射装置７１においては、その構成要素が、パター１のヘッド３１に着脱自在に取り付けられる照射装置本体７２と、シャフト２１に着脱自在に取り付けられる電源部８７と、グリップ１１に着脱自在に取り付けられるスイッチ部９７とにより構成されているために、上記レーザ光照射装置７１はその全ての構成要素をパター１に着脱自在に取り付けることが可能とされている。したがって、上記レーザ光照射装置７１はパター１に対して着脱自在でありかつこれをパター１に取り付けた状態で持ち運びすることができる。
【００４７】
また、上記パター１においては、ヘッド本体３２の後部に水平プレート状の張り出し部３５が設けられて、この張り出し部３５にその下方からゴルフボール６１を着脱自在に嵌合する孔状のボール嵌合部３８が設けられるとともに、この孔状のボール嵌合部３８にその上方からレーザ光照射装置７１が嵌め込まれるように構成されているために、利用者は地面上にあるゴルフボール６１を拾う際にいちいち屈まなくてもパター１を利用してボール６１を拾うことが可能とされており、またこの孔状のボール嵌合部３８をそのままレーザ光照射装置７１の取付孔として利用することが可能とされている。したがって、張り出し部３５に設けた１つの孔に２つの機能を発揮させることが可能なパタークラブを提供することができる。
【００４８】
更にまた、上記パター１においては、ヘッド３１の上部であってヘッド本体３２の上面にヘッド３１の幅方向中心線を示す第一センターライン４８が設けられるとともに、ボール嵌合部３８に嵌め込むレーザ光照射装置７１の上部であって照射装置本体７２におけるケース７４の上面に同じくヘッド３１の幅方向中心線を示す第三センターライン８６が設けられ、ボール嵌合部３８にレーザ光照射装置７１を嵌め込んだ状態で第一および第三センターライン４８，８６が互いの高さ位置を異にするように構成されているために、利用者がヘッド３１を真上から見ると、第一および第三センターライン４８，８６は１本の直線として見え、利用者がヘッド１を斜め上方から見ると、第一および第三センターライン４８，８６は互いにずれて見える。したがってこの特性を利用して利用者は、目線をヘッド３１の真上に位置させる練習を有効に行なうことができる。
【００４９】
尚、上記実施例には、本発明の技術的思想の範疇で様々な変更を加えることができる。例えば、グリップ１１に取り付けるスイッチの数は任意であり、その取付方法も任意である。図１０ではスイッチ９９が３つ取り付けられているが、図１のように１つであっても良い。また、図１０ではスイッチ９９がバンドよりなる取付部９８によって取り付けられているが、図１のように粘着テープ等を用いることにしても良い。
【図面の簡単な説明】
【００５０】
【図１】本発明の実施例に係るレーザ光照射装置およびパターの全体構成説明図
【図２】同パターにおけるヘッドの単品図であって、（Ａ）はその平面図、（Ｂ）はその正面図
【図３】同ヘッドの単品図であって、（Ａ）はその左側面図、（Ｂ）はその右側面図
【図４】同ヘッドの単品図であって、（Ａ）はその底面図、（Ｂ）はその背面図
【図５】ボール嵌合部にボールを嵌合した状態を示す斜視図
【図６】ウエイト固定部とウエイトの組み合わせ例を示す斜視図
【図７】同ヘッドの斜視図および同レーザ光照射装置における照射装置本体の分解斜視図
【図８】同ヘッドに同照射装置本体を取り付けた状態の図であって、（Ａ）はその平面図、（Ｂ）はその正面図
【図９】同レーザ光照射装置におけるレーザ光照射体の単品図であって、（Ａ）はその正面図、（Ｂ）は同図（Ａ）におけるＡ−Ａ線断面図、（Ｃ）はレンズの単品斜視図
【図１０】同パターに同レーザ光照射装置の電源部およびスイッチ部を取り付けた状態の斜視図
【図１１】同電源部におけるケースの単品図であって、（Ａ）は蓋体を閉じた状態の斜視図、（Ｂ）は蓋体を開いた状態の斜視図
【図１２】（Ａ）および（Ｂ）とも従来例に係るレーザ光照射装置およびパターの説明図
【符号の説明】
【００５１】
１  ゴルフパター
１１  グリップ
２１  シャフト
２２  屈曲部
３１  ヘッド
３２  ヘッド本体
３３  フェース面
３４  ソール面
３５  張り出し部
３６  ホーゼル部
３７  括れ部
３８  ボール嵌合部
３９  テーパ
４０，４１，４２  ウエイト固定部
４３，４４，４５  ウエイト
４６  頭部
４７  脚部
４８，４９，８６  センターライン
４８ａ，７８ａ  リブ
５０  サブライン
５１  凹部
５２  弾性体
６１  ゴルフボール
７１  レーザ光照射装置
７２  照射装置本体
７３  下ケース
７３ａ  下面部
７４  上ケース
７５  レーザ光照射体
７６，９３  コネクタ
７７  被嵌合部
７８，７９  位置決め部
８０  照射体収容部
８１，８８  ケース
８２  レーザ光照射部
８３  レンズ
８４  支持体
８５  接着剤
８７  電源部
８９  ケース本体
９０  蓋体
９１  一体成形ヒンジ
９２  シャフト貫挿部
９３  スナップ
９５  乾電池収容部
９６  コネクタ取付部
９７  スイッチ部
９８  スイッチ取付部
９９  スイッチ本体
１００  配線
１０１  プラグ
Ｒ  レーザ光
【図１】
2005160912.tif 000003
【図２】
2005160912.tif 000004
【図３】
2005160912.tif 000005
【図４】
2005160912.tif 000006
【図５】
2005160912.tif 000007
【図６】
2005160912.tif 000008
【図７】
2005160912.tif 000009
【図８】
2005160912.tif 000010
【図９】
2005160912.tif 000011
【図１０】
2005160912.tif 000012
【図１１】
2005160912.tif 000013
【図１２】
2005160912.tif 000014